(57)【要約】【課題】装置内において異なる種類の薬液、あるいは互換性のない薬液の混合を確実に防止する。【解決手段】新旧両消耗品の識別コードが一致しないと判断すると、制御部２２は、コントロールパネルの洗滌告知発光部を発光させ、装置内における液剤を自動洗滌する装置内自動洗滌処理を実行する。装置内自動洗滌処理は、制御部２２による制御により駆動部２５が電磁弁及びポンプを駆動制御することにより実行される。【選択図】図６
2010099180.tif 000002
【特許請求の範囲】
【請求項１】
消耗品の内部に充填された液剤を送液管路を介して洗滌槽に供給し、該洗滌槽内にて内視鏡を洗滌・消毒する内視鏡洗滌消毒装置において、
前記消耗品は、前記消耗品に関連する関連情報を格納する情報格納手段を有するものとし、
前記送液管路に前記消耗品を着脱自在に接続し該消耗品を収納する消耗品収納手段と、
前記関連情報を読み出す情報読み出し手段と、
前記情報読み出し手段が読み出した前記関連情報に基づき、前記送液管路内及び前記洗滌槽内の前記液剤の供給状態を制御する供給状態制御手段と、
を備えたことを特徴とする内視鏡洗滌消毒装置。
【請求項２】
前記関連情報は、前記液剤を識別するための識別コードあるいは前記液剤の互換性を分類した分類コードの少なくとも一方を含むことを特徴とする請求項１に記載の内視鏡洗滌消毒装置。
【請求項３】
前記供給状態制御手段は、
前記消耗品収納手段に収納されている第１の消耗品の前記関連情報と、前記第１の消耗品と交換して新たに消耗品収納手段に収納予定の第２の消耗品の前記関連情報とを比較し、該比較結果に基づき前記送液管路内及び前記洗滌槽内の前記液剤の供給状態を制御することを特徴とする請求項１または２に記載の内視鏡洗滌消毒装置。
【請求項４】
前記供給状態制御手段は、
前記比較結果として前記第１の消耗品の関連情報と前記第２の消耗品の関連情報とが一致しない場合、前記送液管路内及び前記洗滌槽内の前記液剤の供給状態を制御することを特徴とする請求項３に記載の内視鏡洗滌消毒装置。
【請求項５】
少なくとも前記供給状態は、前記送液管路内及び前記洗滌槽内の前記液剤を排液した排液状態を含むことを特徴とする請求項４に記載の内視鏡洗滌消毒装置。
【請求項６】
前記供給状態は、前記排液状態後に前記送液管路内及び前記洗滌槽内を流水にて濯ぐ流水状態を含むことを特徴とする請求項５に記載の内視鏡洗滌消毒装置。
【請求項７】
前記消耗品収納手段は、扉部を開閉することで前記消耗品を収納するものとし、
前記扉部を施錠及び解錠する扉ロック手段と、
前記供給状態に基づき、前記扉ロック手段を制御するロック制御手段と、
を備えたことを特徴とする請求項３ないし５のいずれか１つに記載の内視鏡洗滌消毒装置。
【請求項８】
前記消耗品収納手段は、扉部を開閉することで前記消耗品を収納するものとし、
前記扉部を施錠及び解錠する扉ロック手段と、
前記流水状態後に、前記扉ロック手段を制御するロック制御手段と、
を備えたことを特徴とする請求項６に記載の内視鏡洗滌消毒装置。
【請求項９】
前記消耗品収納手段への前記消耗品の収納を検知する収納検知手段をさらに備え、
前記ロック制御手段は、前記流水状態後に前記扉部を解錠し、前記収納検知手段により前記第２の消耗品が前記消耗品収納手段に収納されたことを検知した後に前記扉部を施錠することを特徴とする請求項８に記載の内視鏡洗滌消毒装置。
【請求項１０】
前記液剤は、洗滌液剤及び消毒液剤の少なくとも一方であることを特徴とする請求項１ないし９のいずれか１つに記載の内視鏡洗滌消毒装置。
【請求項１１】
前記情報読み出し手段は、前記消耗品収納手段への収納前の前記関連情報を読み出す第１の読み出し手段と、前記消耗品収納手段への収納後の前記関連情報を読み出す第２の読み出し手段とを備えて構成されることを特徴とする請求項１ないし１０のいずれか１つに記載の内視鏡洗滌消毒装置。
【請求項１２】
内視鏡を洗滌・消毒するための液剤を内部に充填した消耗品を交換する消耗品交換工程と、前記液剤を送液管路を介して洗滌槽に供給し該内視鏡を洗滌・消毒する洗滌・消毒工程とを有する内視鏡洗滌消毒装置の消耗品交換方法において、
前記消耗品に設けられた情報格納部に格納されている前記消耗品に関連する関連情報を読み出す情報読み出し工程と、
前記送液管路に前記消耗品を着脱自在に接続し該消耗品を消耗品収納部に収納する消耗品収納工程と、
前記情報読み出し工程が読み出した前記関連情報に基づき、前記送液管路内及び前記洗滌槽内の前記液剤の供給状態を制御する供給状態制御工程と、
を備えたことを特徴とする内視鏡洗滌消毒装置の消耗品交換方法。
【請求項１３】
前記関連情報は、前記液剤を識別するための識別コードあるいは前記液剤の互換性を分類した分類コードの少なくとも一方を含むことを特徴とする請求項１２に記載の内視鏡洗滌消毒装置の消耗品交換方法。
【請求項１４】
前記供給状態制御工程は、
前記消耗品収納部に収納されている第１の消耗品の前記関連情報と、前記第１の消耗品と交換して新たに前記消耗品収納部に収納予定の第２の消耗品の前記関連情報とを比較し、該比較結果に基づき前記送液管路内及び前記洗滌槽内の前記液剤の供給状態を制御することを特徴とする請求項１２または１３に記載の内視鏡洗滌消毒装置の消耗品交換方法。
【請求項１５】
前記供給状態制御工程は、
前記比較結果として前記第１の消耗品の関連情報と前記第２の消耗品の関連情報とが一致しない場合、前記送液管路内及び前記洗滌槽内の前記液剤の供給状態を制御することを特徴とする請求項１４に記載の内視鏡洗滌消毒装置の消耗品交換方法。
【請求項１６】
少なくとも前記供給状態は、前記送液管路内及び前記洗滌槽内の前記液剤を排液した排液状態を含むことを特徴とする請求項１５に記載の内視鏡洗滌消毒装置の消耗品交換方法。
【請求項１７】
前記供給状態は、前記排液状態後に前記送液管路内及び前記洗滌槽内を流水にて濯ぐ流水状態を含むことを特徴とする請求項１６に記載の内視鏡洗滌消毒装置の消耗品交換方法。
【請求項１８】
前記消耗品収納部は扉部を開閉することで前記消耗品を収納するものとし、
前記扉部を施錠及び解錠する扉ロック工程と、
前記供給状態に基づき、前記施錠及び解錠を制御するロック制御工程と、
を備えたことを特徴とする請求項１４ないし１６のいずれか１つに記載の内視鏡洗滌消毒装置の消耗品交換方法。
【請求項１９】
前記消耗品収納部は扉部を開閉することで前記消耗品を収納するものとし、
前記扉部を施錠及び解錠する扉ロック工程と、
前記流水状態後に、前記施錠及び解錠を制御するロック制御工程と、
を備えたことを特徴とする請求項１７に記載の内視鏡洗滌消毒装置の消耗品交換方法。
【請求項２０】
前記消耗品収納部への前記消耗品の収納を検知する収納検知工程をさらに備え、
前記ロック制御工程は、前記流水状態後に前記扉部を解錠し、前記収納検知工程により前記第２の消耗品が前記消耗品収納部に収納されたことを検知した後に前記扉部を施錠することを特徴とする請求項１９に記載の内視鏡洗滌消毒装置の消耗品交換方法。
【請求項２１】
前記液剤は、洗滌液剤及び消毒液剤の少なくとも一方であることを特徴とする請求項１２ないし２０のいずれか１つに記載の内視鏡洗滌消毒装置の消耗品交換方法。
【発明の詳細な説明】
【技術分野】
【０００１】
本発明は、内視鏡を洗滌・消毒する内視鏡洗滌消毒装置及びその消耗品交換方法、特に洗滌・消毒に係る消耗品の交換に特徴のある内視鏡洗滌消毒装置及びその消耗品交換方法に関する。
【背景技術】
【０００２】
従来から、内視鏡は体腔内の検査および治療に広く利用されており、その内部には送気、送水、吸引等を行なうための各種の管路が組み込まれている。そして、内視鏡は、使用する毎に、その外表面および内部管路が洗滌消毒される。
【０００３】
こうした内視鏡の洗滌消毒に使用される内視鏡洗滌消毒装置は、従来から様々な形態のものが知られているが、基本的には、洗滌水を用いて内視鏡を洗滌する洗滌工程と、消毒液を使用して洗滌後の内視鏡を消毒する消毒工程と、その他、濯ぎ工程や乾燥工程とからなる一連の工程によって洗滌槽内の内視鏡を洗滌・消毒するものである。
【０００４】
このような内視鏡洗滌消毒装置にて用いられる消耗品は、使用された回数もしくは日数によりその性能が劣化し、限度を超えると要求性能が発揮されなくなる。そこで一般的に使用限度回数、もしくは使用限度日数が設定されており、その範囲内で使用する事が前提となる。
【０００５】
内視鏡洗滌消毒装置で使用される消耗品としては、供給される水の中から雑菌を含む不純物をろ過するための水フィルタ、内視鏡管路内の残水を除去する為の空気から、雑菌を含む不純物をろ過するためのエアフィルタ、消毒液のにおいを除去するガスフィルタ、洗滌消毒工程に使用する洗剤、消毒液、アルコール等がある。
【０００６】
このような消耗品には有効期限があるが、有効期限を過ぎても使用されてしまう可能性あるため、使用されている消耗品の有効期限を認識して警告を発する等の適切な処置をとることで消耗品の管理を行う技術が提案されている（特許文献１）。
【特許文献１】特開２００２−２７２８２２号公報
【発明の開示】
【発明が解決しようとする課題】
【０００７】
しかしながら、内視鏡洗滌消毒に使用される消耗品である例えば消毒液あるいは洗剤等の薬液は、液剤のカテゴリー（洗剤液あるいは消毒液等）が同じでも組成等の適合要件により液剤毎に複数種類あり、同一カテゴリーの薬液であっても種類が異なる薬液が混合すると、所望の洗滌効果あるいは消毒効果が得られない場合がある。
【０００８】
従来の内視鏡洗滌消毒装置における消耗品の管理では、装置内にすでに使用されている薬液の種類と、交換を予定している新たな薬液の種類を照合していないために、上述のように、同一カテゴリーの消耗品の交換時に、装置内において異なる種類の薬液が混合する恐れがある。
【０００９】
つまり、交換時には古い消耗品の薬液は洗滌槽内や洗滌槽への供給管路内等に残留しているため、単に新しい消耗品の薬液に交換して使用すると、古い消耗品の薬液と新しい消耗品の薬液とが洗滌槽内や洗滌槽への供給管路内等で混合することになる。
【００１０】
古い消耗品の薬液と新しい消耗品の薬液とが同一種類、あるいは互換性ある薬液であれば問題はないが、従来の内視鏡洗滌消毒装置は、古い消耗品の薬液と新しい消耗品の薬液とが異なる種類の薬液、あるいは互換性のない薬液の場合を何ら想定していない。
【００１１】
本発明は、このような事情に鑑みてなされたもので、装置内において異なる種類の薬液、あるいは互換性のない薬液の混合を確実に防止することのできる内視鏡洗滌消毒装置及びその消耗品交換方法を提供することを目的とする。
【課題を解決するための手段】
【００１２】
前記目的を達成するために、請求項１に記載の内視鏡洗滌消毒装置は、消耗品の内部に充填された液剤を送液管路を介して洗滌槽に供給し、該洗滌槽内にて内視鏡を洗滌・消毒する内視鏡洗滌消毒装置において、前記消耗品は、前記消耗品に関連する関連情報を格納する情報格納手段を有するものとし、前記送液管路に前記消耗品を着脱自在に接続し該消耗品を収納する消耗品収納手段と、前記関連情報を読み出す情報読み出し手段と、前記情報読み出し手段が読み出した前記関連情報に基づき、前記送液管路内及び前記洗滌槽内の前記液剤の供給状態を制御する供給状態制御手段と、を備えて構成される。
【００１３】
このように請求項１に記載の内視鏡洗滌消毒装置では、前記供給状態制御手段が前記情報読み出し手段にて読み出した前記関連情報に基づき、前記送液管路内及び前記洗滌槽内の前記液剤の供給状態を制御することで、装置内において異なる種類の薬液、あるいは互換性のない薬液の混合を確実に防止することを可能とする。
【００１４】
請求項２に記載の内視鏡洗滌消毒装置のように、請求項１に記載の内視鏡洗滌消毒装置において、前記関連情報は前記液剤を識別するための識別コードあるいは前記液剤の互換性を分類した分類コードの少なくとも一方を含むことが好ましい。
【００１５】
請求項３に記載の内視鏡洗滌消毒装置のように、請求項１または２に記載の内視鏡洗滌消毒装置であって、前記供給状態制御手段は、前記消耗品収納手段に収納されている第１の消耗品の前記関連情報と、前記第１の消耗品と交換して新たに消耗品収納手段に収納予定の第２の消耗品の前記関連情報とを比較し、該比較結果に基づき前記送液管路内及び前記洗滌槽内の前記液剤の供給状態を制御するように構成することができる。
【００１６】
請求項４に記載の内視鏡洗滌消毒装置のように、請求項３に記載の内視鏡洗滌消毒装置であって、前記供給状態制御手段は、前記比較結果として前記第１の消耗品の関連情報と前記第２の消耗品の関連情報とが一致しない場合、前記送液管路内及び前記洗滌槽内の前記液剤の供給状態を制御するように構成することができる。
【００１７】
請求項５に記載の内視鏡洗滌消毒装置のように、請求項４に記載の内視鏡洗滌消毒装置において、少なくとも前記供給状態は、前記送液管路内及び前記洗滌槽内の前記液剤を排液した排液状態を含むことが好ましい。
【００１８】
請求項６に記載の内視鏡洗滌消毒装置のように、請求項５に記載の内視鏡洗滌消毒装置において、前記供給状態は、前記排液状態後に前記送液管路内及び前記洗滌槽内を流水にて濯ぐ流水状態を含むことが好ましい。
【００１９】
請求項７に記載の内視鏡洗滌消毒装置のように、請求項３ないし５のいずれか１つに記載の内視鏡洗滌消毒装置であって、前記消耗品収納手段は、扉部を開閉することで前記消耗品を収納するものとし、前記扉部を施錠及び解錠する扉ロック手段と、前記供給状態に基づき、前記扉ロック手段を制御するロック制御手段と、を備えて構成することができる。
【００２０】
請求項８に記載の内視鏡洗滌消毒装置のように、請求項６に記載の内視鏡洗滌消毒装置であって、前記消耗品収納手段は、扉部を開閉することで前記消耗品を収納するものとし、前記扉部を施錠及び解錠する扉ロック手段と、前記流水状態後に、前記扉ロック手段を制御するロック制御手段と、を備えて構成することができる。
【００２１】
請求項９に記載の内視鏡洗滌消毒装置のように、請求項８に記載の内視鏡洗滌消毒装置であって、前記消耗品収納手段への前記消耗品の収納を検知する収納検知手段をさらに備え、前記ロック制御手段は、前記流水状態後に前記扉部を解錠し、前記収納検知手段により前記第２の消耗品が前記消耗品収納手段に収納されたことを検知した後に前記扉部を施錠するように構成することができる。
【００２２】
請求項１０に記載の内視鏡洗滌消毒装置のように、請求項１ないし９のいずれか１つに記載の内視鏡洗滌消毒装置において、前記液剤は、洗滌液剤及び消毒液剤の少なくとも一方であることが好ましい。
【００２３】
請求項１１に記載の内視鏡洗滌消毒装置のように、請求項１ないし１０のいずれか１つに記載の内視鏡洗滌消毒装置であって、前記情報読み出し手段は、前記消耗品収納手段への収納前の前記関連情報を読み出す第１の読み出し手段と、前記消耗品収納手段への収納後の前記関連情報を読み出す第２の読み出し手段とを備えて構成することができる。
【００２４】
請求項１２に記載の内視鏡洗滌消毒装置の消耗品交換方法は、内視鏡を洗滌・消毒するための液剤を内部に充填した消耗品を交換する消耗品交換工程と、前記液剤を送液管路を介して洗滌槽に供給し該内視鏡を洗滌・消毒する洗滌・消毒工程とを有する内視鏡洗滌消毒装置の消耗品交換方法において、前記消耗品に設けられた情報格納部に格納されている前記消耗品に関連する関連情報を読み出す情報読み出し工程と、前記送液管路に前記消耗品を着脱自在に接続し該消耗品を消耗品収納部に収納する消耗品収納工程と、前記情報読み出し工程にて読み出した前記関連情報に基づき、前記送液管路内及び前記洗滌槽内の前記液剤の供給状態を制御する供給状態制御工程と、を備えて構成される。
【００２５】
このように請求項１２に記載の内視鏡洗滌消毒装置の消耗品交換方法では、前記供給状態制御工程が前記情報読み出し手段にて読み出した前記関連情報に基づき、前記送液管路内及び前記洗滌槽内の前記液剤の供給状態を制御することで、装置内において異なる種類の薬液、あるいは互換性のない薬液の混合を確実に防止することを可能とする。
【００２６】
請求項１３に記載の内視鏡洗滌消毒装置の消耗品交換方法のように、請求項１２に記載の内視鏡洗滌消毒装置の消耗品交換方法において、前記関連情報は前記液剤を識別するための識別コードあるいは前記液剤の互換性を分類した分類コードの少なくとも一方を含むことが好ましい。
【００２７】
請求項１４に記載の内視鏡洗滌消毒装置の消耗品交換方法のように、請求項１２または１３に記載の内視鏡洗滌消毒装置の消耗品交換方法であって、前記供給状態制御工程は、前記消耗品収納部に収納されている第１の消耗品の前記関連情報と、前記第１の消耗品と交換して新たに前記消耗品収納部に収納予定の第２の消耗品の前記関連情報とを比較し、該比較結果に基づき前記送液管路内及び前記洗滌槽内の前記液剤の供給状態を制御するように構成することができる。
【００２８】
請求項１５に記載の内視鏡洗滌消毒装置の消耗品交換方法のように、請求項１４に記載の内視鏡洗滌消毒装置の消耗品交換方法であって、前記供給状態制御工程は、前記比較結果として前記第１の消耗品の関連情報と前記第２の消耗品の関連情報とが一致しない場合、前記送液管路内及び前記洗滌槽内の前記液剤の供給状態を制御するように構成することができる。
【００２９】
請求項１６に記載の内視鏡洗滌消毒装置の消耗品交換方法のように、請求項１５に記載の内視鏡洗滌消毒装置の消耗品交換方法において、少なくとも前記供給状態は、前記送液管路内及び前記洗滌槽内の前記液剤を排液した排液状態を含むことが好ましい。
【００３０】
請求項１７に記載の内視鏡洗滌消毒装置の消耗品交換方法のように、請求項１６に記載の内視鏡洗滌消毒装置の消耗品交換方法において、前記供給状態は、前記排液状態後に前記送液管路内及び前記洗滌槽内を流水にて濯ぐ流水状態を含むことが好ましい。
【００３１】
請求項１８に記載の内視鏡洗滌消毒装置の消耗品交換方法のように、請求項１４ないし１６のいずれか１つに記載の内視鏡洗滌消毒装置の消耗品交換方法であって、前記消耗品収納部は、扉部を開閉することで前記消耗品を収納するものとし、前記扉部を施錠及び解錠する扉ロック工程と、前記供給状態に基づき前記施錠及び解錠を制御するロック制御工程と、を備えて構成することができる。
【００３２】
請求項１９に記載の内視鏡洗滌消毒装置の消耗品交換方法のように、請求項１７に記載の内視鏡洗滌消毒装置の消耗品交換方法であって、前記消耗品収納部は、扉部を開閉することで前記消耗品を収納するものとし、前記扉部を施錠及び解錠する扉ロック工程と、前記流水状態後に前記施錠及び解錠を制御するロック制御工程と、を備えて構成することができる。
【００３３】
請求項２０に記載の内視鏡洗滌消毒装置の消耗品交換方法のように、請求項１９に記載の内視鏡洗滌消毒装置の消耗品交換方法であって、前記消耗品収納部への前記消耗品の収納を検知する収納検知工程をさらに備え、前記ロック制御工程は、前記流水状態後に前記扉部を解錠し、前記収納検知工程により前記第２の消耗品が前記消耗品収納部に収納されたことを検知した後に前記扉部を施錠するように構成することができる。
【００３４】
請求項２１に記載の内視鏡洗滌消毒装置の消耗品交換方法のように、請求項１２ないし２０のいずれか１つに記載の内視鏡洗滌消毒装置の消耗品交換方法において、前記液剤は、洗滌液剤及び消毒液剤の少なくとも一方であることが好ましい。
【発明の効果】
【００３５】
以上説明したように、本発明によれば、装置内において異なる種類の薬液、あるいは互換性のない薬液の混合を確実に防止することができるという効果がある。
【発明を実施するための最良の形態】
【００３６】
以下、添付図面を参照して、本実施形態に係る内視鏡洗滌消毒装置について詳細に説明する。図１は第１の実施形態に係る内視鏡洗滌消毒装置の外観を示す外観図であり、図２は図１の内視鏡洗滌消毒装置前面の扉を開放したときの内部のようすを示す図である。
【００３７】
図１に示すように、本実施形態の内視鏡洗滌消毒装置１には、内視鏡を洗滌消毒するための洗滌槽２と、処理工程時の薬液等の飛散を防止するためのトップカバー３と、処理工程のプログラム等を設定するためのコントロールパネル４と、前面扉５が設けられている。
【００３８】
前面扉５は工具不要で開閉することができ、その内部には消耗品を収納する消耗品収納部である、図２に示すように、洗滌消毒工程に使用する洗剤を貯蔵している洗剤ボトル９ａを収納するための洗剤収納部９と、消毒液を貯蔵している消毒液ボトル１０ａを収納するための消毒液収納部１０と、が設けられている。また、洗剤収納部９及び消毒液収納部１０の下部には洗剤及び消毒液を希釈するための洗剤希釈タンク２００及び消毒液希釈タンク２０１が設けられている。さらに、洗剤希釈タンク２００及び消毒液希釈タンク２０１の下部には、廃液を蓄えるドレイン容器２０２が交換可能に設置されている。なお、消耗品収納手段は、洗剤収納部９及び消毒液収納部１０により構成される。
【００３９】
また、消耗品収納手段を構成する各収納部には扉部が設けられており、各扉部には開閉を制御するロック機構が設けられている。具体的には洗剤収納部９にはロック機構部９ｂを有する扉部９ｃが設けられ、消毒液収納部１０にはロック機構部１０ｂを有する扉部１０ｃが設けられている。扉ロック手段はロック機構部９ｂ、１０ｂにより構成される。
【００４０】
また、コントロールパネル４に隣接して、消耗品である洗剤ボトル９ａ及び消毒液ボトル１０ａに設けられているＩＣタグであるＲＦ−ＩＤ（高周波自動認識システム： Radio Frequency Identification）タグと無線にて情報を送受するための情報読み出し手段（第１の読み出し手段）であるＲＦ−ＩＤリーダ５０が設けられている。
【００４１】
図３は図２の消毒液収納部に収納される消毒液ボトルの外観を示す図である。一例として、例えば防水機能・耐薬機能を有する情報格納手段としてのＲＦ−ＩＤタグ５１は消毒液ボトル１０ａの前面に設けられており、このＲＦ−ＩＤタグ５１をＲＦ−ＩＤリーダ５０に近づけることにより、ＲＦ−ＩＤタグ５１とＲＦ−ＩＤリーダ５０との間で情報を送受が可能となっている。洗剤ボトル９ａも消毒液ボトル１０ａと同様に構成されている。
【００４２】
ＲＦ−ＩＤタグ５１の内部には、消耗品のシリアルコードと、消毒液等の液剤の有効期限、使用回数等からなる使用限界情報と、表１に示すような消耗品内の液剤を識別するための識別コードとを含む関連情報が記録されている。
【００４３】
なお、ＲＦ−ＩＤタグ５１は、識別コードの代わりに、表２に示すような液剤の互換性を分類した分類コードを関連情報として記録してもよい。本実施形態においては、関連情報は上記の識別コード及び分類コードのいずれか一方を少なくとも含むものとする。
【００４４】
【表１】
2010099180.tif 000003
【００４５】
【表２】
2010099180.tif 000004
なお、ＲＦ−ＩＤシステムに関しては公知であるので詳細な説明は省略する。
【００４６】
図４は図１のコントロールパネルの構成を示す図である。コントロールパネル４は、洗滌、消毒、濯ぎ及び乾燥工程等を番号にて表示する工程表示エリア４１、洗滌に要する時間を表示する洗滌時間表示エリア４２、消毒に要する時間を表示する消毒時間表示エリア４３からなる表示エリアと、各工程を選択する選択ボタン４４、各工程の開始を指示する開始ボタン４５及び各工程の停止を指示する停止ボタン４６のほかに、消耗品の交換を告知するための消耗品情報エリア４７が設けられている。
【００４７】
この消耗品情報エリア４７には、例えば、消耗品である洗剤ボトル９ａ及び消毒液ボトル１０ａの使用状況を発光状態で示す発光機能を備えた消耗品ボタンである洗剤ボトルボタン９Ａ及び消毒液ボトルボタン１０Ａが設けられている。この消耗品ボタンは、関連情報の使用限界情報に基づき消耗品が使用限界内である場合には消灯しており、消耗品が使用限界に達すると、例えば赤色点灯することで、容易に消耗品の使用状況を発光状態にて告知することができるようになっている。
【００４８】
また、消耗品情報エリア４７には、洗滌告知発光部４８及び交換告知発光部４９が設けられている。洗滌告知発光部４８は、消耗品の交換時に必要に応じて実行する後述する装置内自動洗滌処理の状況を告知するための発光部である。また、交換告知発光部４９は、装置内自動洗滌処理が完了した場合あるいは装置内自動洗滌処理が不要な場合に消耗品の交換が可能な状況であることを告知するための発光部である。
【００４９】
なお、本実施形態では、上記発光による告知のほかに音（音声）により、消耗品ボタンの告知内容である「消耗品が使用限界に達したこと」、洗滌告知発光部４８の告知内容である「装置内自動洗滌処理中であること」あるいは交換告知発光部４９の告知内容である「消耗品の交換が可能なこと」等を告知するように構成することができる。
【００５０】
図５は図２の消毒液収納部の構成を示す構成図である。消毒液収納部１０は、消毒液ボトル１０ａに設けられたＲＦ−ＩＤタグ５１（図３参照）と無線にて情報を送受する収納検知手段及び情報読み出し手段（第２の読み出し手段）であるＲＦ−ＩＤリーダ５０ａと、扉部１０ｃの開閉を制御するロック機構部１０ｂとを備え、これら各部は制御回路１００に接続されている。
【００５１】
消毒液ボトル１０ａは、消毒液収納部１０に収納されることで、管路７０及びポンプ７１を介して液体希釈手段としての消毒液希釈タンク２０１に消毒液を送液するようになっている。また、この消毒液希釈タンク２０１には、水道水が管路７３及び電磁弁７４を介して送水されて、消毒液が所定の濃度に希釈されるようになっている。また、所定の濃度に希釈された消毒液希釈タンク２０１内の希釈消毒液は、管路７５及びポンプ７６を介して洗滌槽２に送液される。
【００５２】
洗滌槽２では、この所定の濃度の希釈消毒液のほかに、水道水が管路７７及び電磁弁７８を介して送水されるようになっており、消毒後の濯ぎ等に水道水が用いられる。また、洗滌槽２は、管路７９及びポンプ８０を介して洗滌槽２内の洗滌後の希釈洗滌液、あるいは消毒後の希釈消毒液、濯ぎ後の水道水等がドレイン容器２０２に廃液され、ドレイン容器２０２を介して装置外部に廃棄されるようになっている。送液管路は、管路７０，７３，７５、７９等により構成される。
【００５３】
なお、上記の各電磁弁７４、７８及びポンプ７１、７６、８０には流量計（図示せず）等のセンサが設けられており、制御回路１００はこれらの流量計から流量情報に基づいて、電磁弁７４、７８及びポンプ７１、７６、８０を制御することで、各管路に流れる流体制御を行うようになっている。
【００５４】
なお、洗剤収納部９も消毒液収納部１０と同様に構成されている。
【００５５】
図６は図５の制御回路の構成を示すブロック図である。制御回路１００は、主に供給された電圧を回路レベルに安定化させるための電源安定部２０と、供給された電源レベルを監視し、リセット信号を制御する電源監視部２１と、装置を制御するためのプログラムや、工程来歴、異常来歴等の動作データや消耗品毎の識別コード（表１参照）、分類コード（表２参照）等の消耗品データを記録するためのメモリ部２３と、コントロールパネル４の表示及びＳＷ（スイッチ）入力を制御するためのパネル制御部２４と、ポンプ・電磁弁等の電気機器を動作させ、洗滌消毒を行う駆動部２５と、温度センサ、水位センサ、トップカバー位置センサ等のセンサ入力値を監視するセンサ制御部２６と、日付を管理するＲＴＣ（Real Time Clock)２７と、ＲＦ−ＩＤリーダ５０、５０ａ、…等から信号を送受信するための送受信Ｉ／Ｆ部２８、２８ａ、…と、ロック機構部９ｂ、１０ｂ等の扉ロック部を制御するロック制御部３０と、上記した各部の制御を行う制御部２２とからなる。なお、供給状態制御手段は、制御部２２、駆動部２５、図５にて示した電磁弁７４、７８及びポンプ７１、７６、８０により構成される。また、ロック制御手段は、ロック制御部３０及び制御部２２とから構成される。
【００５６】
このように構成された本実施形態の作用を図７のフローチャートを用いて説明する。図７は図６の制御部の消耗品交換時の処理の流れを示すフローチャートである。
【００５７】
図７に示すように、制御部２２は、ユーザにより装置の電源が投入されると消耗品の交換が必要かどうかを判断する（ステップＳ１）。具体的には、制御部２２は、現在の消耗品が有効期限内かどうか、あるいは使用回数が所定回数を越えたかどうかにより、消耗品の交換が必要かどうかを判断する。
【００５８】
そして、消耗品（例えば消毒液ボトル１０ａ）の交換が必要と判断すると、制御部２２は、交換が必要な消耗品をコントロールパネル４の消耗品ボタン（例えば消毒液ボトルボタン１０Ａ）を点灯させることで、ユーザに告知する（ステップＳ２）。なお、交換が必要ないと判断すると、制御部２２は処理を終了する。
【００５９】
そして、制御部２２は、ユーザが交換しようとしている新たな消耗品についてのチェックを実行する（ステップＳ３）。具体的には、ＲＦ−ＩＤリーダ５０ａ（図５参照）により現在収納している消耗品のＲＦ−ＩＤタグ５１から関連情報を読み出すと共に、ＲＦ−ＩＤリーダ５０（図２参照）により交換しようとしている新たな消耗品のＲＦ−ＩＤタグ５１から関連情報を読み出し、例えば表１に示した識別コードに基づいて新旧両消耗品の関連情報のうちの識別コードを照合することでチェックを行う。
【００６０】
そして、制御部２２は、照合の結果、新旧両消耗品の識別コードが一致するかどうか判断する（ステップＳ４）。一致する場合には処理はステップＳ７に移行し、一致しない場合には処理はステップＳ５に移行する。
【００６１】
新旧両消耗品の識別コードが一致しないと判断すると、制御部２２は、コントロールパネル４の洗滌告知発光部４８を発光させる（ステップＳ５）。そして、制御部２２は、装置内における液剤を自動洗滌する装置内自動洗滌処理を実行する（ステップＳ６）。この装置内自動洗滌処理の詳細については後述するが、この処理を実行することで、現在収納している消耗品の液剤が装置内（洗滌槽や管路）よりドレイン容器２０２に廃棄されることとなる。
【００６２】
この装置内自動洗滌処理を完了した場合、あるいはステップＳ４にて新旧両消耗品の識別コードが一致すると判断した場合、制御部２２は、コントロールパネル４において洗滌告知発光部４８を消灯させ交換告知発光部４９を発光させると共に、消耗品収納部（例えば消毒液収納部１０）の扉のロックを解錠（例えばロック制御部３０によりロック機構部９ｂを解錠）する（ステップＳ７）。
【００６３】
次に、制御部２２は、例えばＲＦ−ＩＤリーダ５０ａ（図５参照）により交換しようとしている新たな消耗品のＲＦ−ＩＤタグ５１が読み出せるかどうか（ＲＦ−ＩＤリーダ５０にて読み出している関連情報のうちのシリアルコードがＲＦ−ＩＤリーダ５０ａにより読み出せるかどうか等）により、新たな消耗品が消耗品収納部にセットされたかどうか判断する（ステップＳ８）。
【００６４】
そして、新たな消耗品が消耗品収納部にセットされたと判断すると、制御部２２は、消耗品収納部（例えば消毒液収納部１０）の扉のロックを施錠（例えばロック制御部３０によりロック機構部９ｂを施錠）し（ステップＳ９）、交換告知発光部４９及び消耗品ボタン（例えば消毒液ボトルボタン１０Ａ）を消灯して（ステップＳ１０）処理を終了する。
【００６５】
なお、ステップＳ３での新たな消耗品についてのチェックにおいて、表１に示した識別コードに基づいて識別コードの照合によりチェックを行うとしたが、これに限らず、例えば表２の分類コードに基づいてチェックを行うようにしてもよい。分類コードは、液剤の互換性を分類した情報であり、例えば表１において消毒液の識別コードが異なる消毒液Ａ（識別コード＝ａｂｃｄｘｘ０１）と消毒液Ｃ（識別コード＝ａｂｃｄｘｘ０３）が、互いに互換性を有する場合には、表２に示すように、消毒液Ａと消毒液Ｃの分類コードは同一（分類コード＝ＡＡ０１）となる。すなわち、識別コードの異なる消毒液であっても互換性を有していれば両者が混合しても所望の消毒効果を得ることができるため、分類コードに基づく照合によりチェックを行うことで、ステップ６の装置内自動洗滌処理を効率的に実行できる（分類コードによる装置内自動洗滌処理回数≦識別コードによる装置内自動洗滌処理回数）。
【００６６】
また、１つのリーダ、例えばＲＦ−ＩＤリーダ５０で構成し、消耗品交換時には交換予定の消耗品のＲＦ−ＩＤタグ５１をＲＦ−ＩＤリーダ５０に読ませるようにしてもよい。この場合、現在収納している消耗品の識別コードは前回ＲＦ−ＩＤリーダ５０に読ませたときにメモリ部２３に記録されており、ステップＳ４においてメモリ部２３に記録した（現在収納している消耗品）識別コードと、今回読んだ（交換予定の消耗品）識別コードが一致した場合はステップＳ７に移行し、一致しない場合には処理はステップＳ５に移行するようにすればよい。また、ＲＦ−ＩＤリーダ５０にて消耗品のＲＦ−ＩＤタグ５１を読ませないと、扉のロックは解錠されないように構成するようにしてもよい。
【００６７】
次に、上記ステップＳ６における装置内自動洗滌処理の詳細を図８ないし図１２を用いて説明する。なお、以下の説明では、装置内自動洗滌処理は、制御部２２による制御により駆動部２５が電磁弁７４、７８及びポンプ７１、７６、８０を駆動制御することにより実行される。
【００６８】
まず制御部２２は、消毒液希釈タンク２０１内の希釈消毒液について管路７５及びポンプ７６を介して洗滌槽２に送液を開始し（図８）、消毒液希釈タンク２０１内のすべての希釈消毒液を洗滌槽２に移動させる（図９）。次に、制御部２２は、洗滌槽２内の希釈消毒液について管路７９及びポンプ８０を介してドレイン容器２０２に送液を開始し、洗滌槽２内のすべての希釈消毒液をドレイン容器２０２に移動させ排液することにより、装置内に残留している希釈消毒液を廃棄する（図１０）。
【００６９】
このようにして、装置内の希釈消毒液をすべてドレイン容器２０２に移動させ排液すると、制御部２２は、図１１に示すように、水道水について管路７３及び電磁弁７４を介して消毒液希釈タンク２０１に送液を開始する。そして、制御部２２は、消毒液希釈タンク２０１に送られた水道水を管路７５及びポンプ７６を介して洗滌槽２に移動させる。さらに制御部２２は、管路７９及びポンプ８０を介して洗滌槽２内のすべての水道水をドレイン容器２０２に移動させ排液する。
【００７０】
続いて、制御部２２は、図１２に示すように、管路７９及びポンプ８０を介して希釈消毒液及び水道水をドレイン容器２０２に移動させ排液する。すなわち、水道水を内部に流水させることで、各管路、及び消毒液希釈タンク２０１、洗滌槽２内から消毒液成分を完全に除去する。
【００７１】
このように本実施形態では、消耗品を交換する際に、新たな消耗品のＲＦ−ＩＤタグに格納されている識別コードあるいは分類コードをＲＦ−ＩＤリーダにより読み出し、交換対象の古い消耗品の識別コードあるいは分類コードと比較し、両消耗品の識別コードあるいは分類コードが一致しない場合、装置内に残留している希釈消毒液を廃棄すると共に、消毒液成分を完全に除去するので、装置内において、識別コードが一致しない異なる種類の液剤あるいは分類コードが一致しない互換性のない液剤の混合を確実に防止することができる。
【００７２】
以上、本発明の内視鏡洗滌消毒装置について詳細に説明したが、本発明は、以上の例には限定されず、本発明の要旨を逸脱しない範囲において、各種の改良や変形を行ってもよいのはもちろんである。
【図面の簡単な説明】
【００７３】
【図１】本発明の第１の実施形態に係る内視鏡洗滌消毒装置の外観を示す外観図
【図２】図１の内視鏡洗滌消毒装置前面の扉を開放したときの内部のようすを示す図
【図３】図２の消毒液収納部に収納される消毒液ボトルの外観を示す図
【図４】図１のコントロールパネルの構成を示す図
【図５】図２の消毒液収納部の構成を示す構成図
【図６】図５の制御回路の構成を示すブロック図
【図７】図６の制御部の消耗品交換時の処理の流れを示すフローチャート
【図８】図７の装置内自動洗滌処理における消毒液希釈タンクの希釈消毒液の流れを説明するための図
【図９】図７の装置内自動洗滌処理における希釈消毒液の洗滌槽への流れを説明するための図
【図１０】図７の装置内自動洗滌処理における希釈消毒液のドレイン容器への廃棄を説明するための図
【図１１】図７の装置内自動洗滌処理における消毒液希釈タンク及び洗滌槽への水道水の流れを説明するための図
【図１２】図７の装置内自動洗滌処理における水道水のドレイン容器への廃棄を説明するための図
【符号の説明】
【００７４】
１…内視鏡洗滌消毒装置、２…洗滌槽、３…トップカバー、４…コントロールパネル、５…前面扉、９…洗剤収納部、９ｂ（１０ｂ）…ロック機構部、９ｃ（１０ｃ）…扉部、１０…消毒液収納部、２０…電源安定部、２１…電源監視部、２２…制御部、２３…メモリ部、２４…パネル制御部、２５…駆動部、２６…センサ制御部、２７…ＲＴＣ、２８（２８ａ）…送受信Ｉ／Ｆ部、３０…ロック制御部、５０（５０ａ）…ＲＦ−ＩＤリーダ、５１…ＲＦ−ＩＤタグ、１００…制御回路
【図１】
2010099180.tif 000005
【図２】
2010099180.tif 000006
【図３】
2010099180.tif 000007
【図４】
2010099180.tif 000008
【図５】
2010099180.tif 000009
【図６】
2010099180.tif 000010
【図７】
2010099180.tif 000011
【図８】
2010099180.tif 000012
【図９】
2010099180.tif 000013
【図１０】
2010099180.tif 000014
【図１１】
2010099180.tif 000015
【図１２】
2010099180.tif 000016